(57)【要約】【課題】ユーザが惰性で確認画面の操作を行うのを抑制することができる表示制御装置を提供する。【解決手段】本発明の表示制御装置１０は、ユーザの指示による所定の処理の実行を該ユーザに確認させる確認画面２２を表示画面２１に表示させるための表示制御装置１０において、確認画面２２に複数の選択肢２４ａ，２４ｂ，２４ｃが含まれる場合には、該選択肢２４ａ，２４ｂ，２４ｃの表示位置をランダムに決定する選択肢表示位置決定部１２を備えることを特徴としている。【選択図】図１
2009251668.tif 000002
【特許請求の範囲】
【請求項１】
ユーザの指示による所定の処理の実行を該ユーザに確認させる確認画面を表示手段に表示させるための表示制御装置において、
前記確認画面に複数の選択肢が含まれる場合には、該選択肢の表示位置をランダムに決定する選択肢表示位置決定手段を備えることを特徴とする表示制御装置。
【請求項２】
前記確認画面は、選択肢と、該選択肢によって前記処理の実行をユーザに確認させるための確認用文章とを含むよう構成され、
前記確認画面に複数の選択肢が含まれる場合には、前記確認用文章の意味をランダムに変える確認用文章決定手段をさらに備えることを特徴とする請求項１に記載の表示制御装置。
【請求項３】
前記確認画面を前記表示画面上に表示させる位置をランダムに決定する確認画面表示位置決定手段をさらに備えることを特徴とする請求項１又は２に記載の表示制御装置。
【請求項４】
ユーザの指示による所定の処理の実行を該ユーザに確認させる確認画面を表示手段に表示させるための表示制御方法において、
前記確認画面に複数の選択肢が含まれる場合には、該選択肢の表示位置をランダムに決定する選択肢表示位置決定ステップを備えることを特徴とする表示制御方法。
【発明の詳細な説明】
【技術分野】
【０００１】
本発明は、ユーザの指示による所定の処理の実行を該ユーザに確認させる確認画面を表示手段に表示させるための表示制御装置及び表示制御方法に関するものである。
【背景技術】
【０００２】
現在、多くのコンピュータ・ソフトウェアにおいて、ユーザにより動作が指令された際に、当該動作を実行することの是非を確認すべく、例えばディスプレイ上にウィンドウなどの確認画面を提示して、確認画面内のボタンを押下させるなどの操作をユーザに行わせる仕組みが取り入れられている（例えば特許文献１を参照）。これにより、入力ミス等によって、ユーザが本来予期していない動作が実行されることを防止したり、ユーザに注意喚起することができる。
【特許文献１】特開２００６−３３５０４６号公報
【発明の開示】
【発明が解決しようとする課題】
【０００３】
しかしながら、特許文献１のような従来の確認画面の表示手法では、ディスプレイに提示される確認画面は、予め設定された画一的なものである。例えば、同一の動作に対しては、当該動作を実行することの是非を確認するための確認用文章は常に同一のものである。また、動作実行の是非をユーザが示すための選択肢は、常に確認画面内に同一の配置で提示される。さらに、確認画面は、常にディスプレイ上の同一の位置（例えば画面中央）に提示される。
【０００４】
このような従来の確認画面では、ユーザが日頃ソフトウェアを利用し、当該確認画面に慣れてしまった場合には、ユーザが確認画面に特段の注意を向けることなく惰性で操作を行ってしまい、実質的に確認画面が機能しないという問題があった。
【０００５】
そこで本発明は、上記問題点を解決し、ユーザが惰性で確認画面の操作を行うのを抑制することができる表示制御装置及び表示制御方法を提供することを目的とする。
【課題を解決するための手段】
【０００６】
上記課題を解決するために、本発明の表示制御装置は、ユーザの指示による所定の処理の実行を該ユーザに確認させる確認画面を表示手段に表示させるための表示制御装置において、確認画面に複数の選択肢が含まれる場合には、該選択肢の表示位置をランダムに決定する選択肢表示位置決定手段を備えることを特徴としている。
【０００７】
同様に、上記課題を解決するために、本発明の表示制御方法は、ユーザの指示による所定の処理の実行を該ユーザに確認させる確認画面を表示手段に表示させるための表示制御方法において、確認画面に複数の選択肢が含まれる場合には、該選択肢の表示位置をランダムに決定する選択肢表示位置決定ステップを備えることを特徴としている。
【０００８】
これらの構成により、ユーザが所定の処理の実行を指示した際に、確認画面に複数の選択肢が含まれる場合には、確認画面において選択肢の表示位置がランダムに変更されてユーザに提示されることになる。これにより、ユーザが確認画面の選択肢をよく確認せずにクリック操作を行うと、当該処理の実行を許可したつもりにも関わらず、当該処理の実行が中止されてしまう状況、またはその逆の状況が起こりうる。従って、ユーザに確認画面内の選択肢の配置について注意を促すことができるようになり、本発明はユーザが惰性で確認画面の操作を行うのを抑制することができる。
【０００９】
また、本発明の表示制御装置において、確認画面は、選択肢と、該選択肢によって処理の実行をユーザに確認させるための確認用文章とを含むよう構成され、確認画面に複数の選択肢が含まれる場合には、確認用文章の意味をランダムに変える確認用文章決定手段をさらに備えるのが好適である。
【００１０】
この構成により、ユーザが所定の処理の実行を指示した際に、確認画面に複数の選択肢が含まれる場合には、確認画面において確認用文章の意味がランダムに変更されてユーザに提示されることになる。これにより、当該処理の実行を許可するための選択肢が変わるので、ユーザが確認画面の確認用文章をよく読まずにクリック操作を行うと、当該処理の実行を許可したつもりにも関わらず、当該処理の実行が中止されてしまう状況、またはその逆の状況が起こりうる。従って、ユーザに確認画面内の確認用文章の意味について注意を促すことができるようになるので、本発明はユーザが惰性で確認画面の操作を行うのをさらに抑制することができる。
【００１１】
また、本発明の表示制御装置は、確認画面を表示画面上に表示させる位置をランダムに決定する確認画面表示位置決定手段をさらに備えるのが好適である。
【００１２】
この構成により、確認画面の表示位置がランダムに変更され、ユーザが表示画面をよく確認せずにクリック操作を繰り返すと、マウスポインタが表示画面の選択肢から外れて処理が実行されない状況が起こりうる。このように、ユーザに表示画面の確認画面の表示位置について注意を促すことができるようになるので、ユーザが惰性で確認画面の操作を行うのをさらに抑制することができる。
【発明の効果】
【００１３】
本発明の表示制御装置及び表示制御方法によると、ユーザが惰性で確認画面の操作を行うのを抑制することができる。
【発明を実施するための最良の形態】
【００１４】
以下、図面を参照して本発明に係る表示制御装置及び表示制御方法の好適な実施形態について説明する。なお、図面の説明においては、同一要素には同一符号を付し、重複する説明を省略する。
【００１５】
図１に、本発明の一実施形態に係る表示制御装置の構成を示す。図１に示すように、本実施形態の表示制御装置１０は、確認画面選択部１１、選択肢表示位置決定部（選択肢表示位置決定手段）１２、確認用文章決定部（確認用文章決定手段）１３、確認用文章テーブル１４、確認画面表示位置決定部（確認画面表示位置決定手段）１５、確認画面表示部１６、及び処理実行判定部１７を含んで構成されている。
【００１６】
図２に、本実施形態に係る表示制御装置１０のハードウェア構成を示す。表示制御装置１０は、物理的には、図２に示すように、ＣＰＵ（Ｃｅｎｔｒａｌ  Ｐｒｏｃｅｓｓｉｎｇ  Ｕｎｉｔ）１０１、主記憶装置であるＲＡＭ（Ｒａｎｄｏｍ  Ａｃｃｅｓｓ  Ｍｅｍｏｒｙ）１０２およびＲＯＭ（Ｒｅａｄ  Ｏｎｌｙ  Ｍｅｍｏｒｙ）１０３、ハードディスク等の補助記憶装置１０４、入力デバイスであるキーボード及びマウス等の入力装置１０５、ディスプレイ等の出力装置１０６、などを含むコンピュータシステムとして構成されている。図１に示す表示制御装置１０の各機能は、図２に示すＣＰＵ１０１、ＲＡＭ１０２等のハードウェア上に所定のコンピュータ・ソフトウェアを読み込ませることにより、ＣＰＵ１０１の制御のもとで入力装置１０５及び出力装置１０６を動作させるとともに、ＲＡＭ１０２や補助記憶装置１０４におけるデータの読み出し及び書き込みを行うことで実現される。以下、図１に示す機能ブロックに基づいて、各機能ブロックを説明する。
【００１７】
確認画面選択部１１は、ユーザに提示する確認画面を選択する部分である。確認画面選択部１１は、入力装置１０５を介してユーザからの処理に関する指令を受信すると、当該処理の内容に応じて、出力装置１０６を介してユーザに提示する確認画面を決定する。
【００１８】
ここで、「確認画面」とは、例えば図３に示すように、マルチウィンドウ型のオペレーションシステムにおいて、任意のアプリケーション上でユーザがある処理を実行する指令を与えた際に、当該処理の実行をユーザに確認させるために当該アプリケーションのウィンドウとは別に表示されるウィンドウ２２のことである。確認画面２２は、従来、図３に示すように出力装置１０６の表示画面２１の所定位置や、実行中のアプリケーションのウィンドウ（図示せず）の上に重畳して表示されることが多い。
【００１９】
本実施形態では、ユーザが指令する処理として、文書作成アプリケーションなどにおけるデータ保存処理を一例に挙げて説明する。ユーザが文書に修正・編集などの変更を加えた後に文書データを更新せずにアプリケーションを終了しようとすると、従来より、図３に示すような確認画面２２が出力装置１０６の表示画面２１に表示される。
【００２０】
このとき、確認画面２２には、「ファイルＡへの変更を保存しますか？」という確認用文章２３と、「はい」、「いいえ」「キャンセル」の各選択肢に対応する選択肢ボタン２４ａ，２４ｂ，２４ｃが提示されている。ユーザがマウスなどを利用して表示画面上でポインタを移動させて所望の選択肢ボタン上でクリック操作を行うことにより、当該選択肢ボタンが押下されことがアプリケーションに認識される。
【００２１】
また、従来、デフォルトでは、図３に示すように「はい」ボタン２４ａにのみ破線状の枠線がさらに追加されて表示されている。この枠線は、「はい」ボタン２４ａが選択されている状態を表している。この状態でユーザがキーボードのリターンキーを押下すれば、ポインタを「はい」ボタン２４ａの上に移動させなくても「はい」ボタン２４ａが押下されたものとアプリケーションに認識される。
【００２２】
「はい」ボタン２４ａが押下されると、ファイルＡへの変更を保存する処理を行った上でアプリケーションを終了する。「いいえ」ボタン２４ｂが押下されると、ファイルＡへの変更を保存せずにアプリケーションを終了する。「キャンセル」ボタン２４ｃが押下されると、ファイルＡへの変更を保存する処理を行わず、アプリケーションも終了せずもとの画面に戻る。
【００２３】
図１に戻り、確認画面選択部１１は、ユーザに提示する確認画面２２を決定すると、選択肢ボタン２４ａ〜２４ｃの個数を確認する。選択肢ボタンが複数の場合には、選択肢表示位置決定部１２、確認用文章決定部１３及び確認画面表示位置決定部１５のそれぞれに動作指令を送信する。一方、例えば「ＯＫ」などのように選択肢が１個しかない場合（図８参照）には、確認画面表示位置決定部１５のみに動作指令を送信する。
【００２４】
選択肢表示位置決定部１２は、確認画面２２における選択肢の表示位置をランダムに決定する部分である。通常の確認画面２２には、図３に示すように、「はい」ボタン２４ａ、「いいえ」ボタン２４ｂ、「キャンセル」ボタン２４ｃの順で選択肢が表示されている。選択肢表示位置決定部１２は、例えば図４のように「はい」ボタン２４ａと「いいえ」ボタン２４ｂとを入れ替えるなど、選択肢ボタン２４ａ〜２４ｃの表示位置をランダムに変更する。
【００２５】
このとき、ユーザが確認画面２２をよく見ずにキーボードのリターンキーを押してしまい誤って処理が実行されるのを防ぐために、図３の「はい」ボタン２４ａがデフォルトで選択された状態ではなく、デフォルトではどの選択肢ボタンも選択されないように構成してもよい。
【００２６】
選択肢表示位置決定部１２は、決定した各選択肢の表示位置に関する情報を、確認画面表示部１６に送信する。
【００２７】
ここで、「ランダムに決定する」とは、例えば、コンピュータシステムに組み込まれた擬似乱数等を利用したり、繰り返しパターンなどの手法により実現される。
【００２８】
確認用文章決定部１３は、確認画面２２に表示される確認用文章２３の意味をランダムに変更する部分である。具体的には、確認用文章決定部１３は、確認画面選択部１１より受信した処理に関する情報に応じて、確認用文章テーブル１４に格納されている複数の確認用文章の中から、確認画面２２に表示させる確認用文章をランダムに決定する。例えば、確認用文章決定部１３は、図５に示すように、図３の「ファイルＡへの変更を保存しますか？」という確認用文章２３とは、「はい」及び「いいえ」の選択肢の意味が逆になる「ファイルＡへの変更を保存しませんね？」という確認用文章２６を確認画面２２に表示させることができる。
【００２９】
このとき、ユーザが確認画面２２をよく見ずにキーボードのリターンキーを押してしまい誤って処理が実行されるのを防ぐために、図３の「はい」ボタン２４ａがデフォルトで選択された状態ではなく、デフォルトではどの選択肢ボタンも選択されないように構成してもよい。
【００３０】
図６に、確認用文章決定部１３が参照する確認用文章テーブル１４の一例を示す。図６に示すように、確認用文章テーブル１４は、１つのレコードとして「確認用文章」、「[はい]押下時の処理」、「[いいえ]押下時の処理」、及び「[キャンセル]押下時の処理」のデータを対応付けて保持している。
【００３１】
確認用文章テーブル１４には、特定の処理に関して、複数の確認用文章が格納されている。これらの複数の確認用文章は、「はい」及び「いいえ」の選択肢が、当該処理を実行することの是非のいずれを意味するかが異なるように作成されている。
【００３２】
例えば、図６に示すように、「○○への変更を保存しますか？」という確認用文章の場合、「はい」を選択することはユーザが保存処理を実行したいことを意味するので、「保存して次画面へ遷移（ＯＫ処理）」という処理を行うように対応付けられている。また、「いいえ」を選択することはユーザが保存処理を実行したくないことを意味するので、「保存せず次画面へ遷移（ＮＧ処理）」という処理を行うように対応付けられている。一方、「○○への変更を保存しませんね？」という確認用文章の場合、「はい」「いいえ」の意味が逆となり、「はい」を選択することはユーザが保存処理を実行したくないことを意味するので、ＮＧ処理が対応付けられ、「いいえ」を選択することはユーザが保存処理を実行したいことを意味するので、ＯＫ処理が対応付けられている。
【００３３】
なお、「[キャンセル]押下時の処理」は、確認用文章の種類に依存せず、常に「保存せず前画面に戻る（キャンセル処理）」という処理を行うように対応付けられている。
【００３４】
確認用文章テーブル１４は、データベースとしてプログラムに組み込む形式でもよいし、コンフィグファイルでもよい。
【００３５】
確認用文章決定部１３は、このように確認用文章テーブル１４を参照してランダムに決定した確認用文章に関する情報を、確認画面表示部１６に送信する。
【００３６】
確認画面表示位置決定部１５は、確認画面２２を表示画面２１上に表示させる位置をランダムに決定する部分である。例えば確認画面表示位置決定部１５は、図７に示すように、確認画面２２を、図３に示した所定位置とは異なる位置に表示させる。このとき、ユーザが確認画面２２をよく見ずにキーボードのリターンキーを押してしまい誤って処理が実行されるのを防ぐために、図３の「はい」ボタン２４ａがデフォルトで選択された状態ではなく、デフォルトではどの選択肢ボタンも選択されないように構成してもよい。
【００３７】
また、確認画面表示位置決定部１５は、選択肢表示位置決定部１２や確認用文章決定部１３とは異なり、確認画面の選択肢が１つの場合でも適用される。例えば、図８に示すように「印刷が完了しました」という結果をユーザに通知する意味合いが強く、選択肢が「ＯＫ」ボタン２７の１個しかない場合でも、確認画面２２の表示位置を図８（ａ）に示す所定位置とは別の図８（ｂ）に示す位置に表示させる。このとき、キーボードのリターンキーを押しただけでは「ＯＫ」ボタン２７が押下されたことにならないように、図８（ａ）に示すようにデフォルトで「ＯＫ」ボタン２７が選択された状態ではなく、図８（ｂ）に示すようにデフォルトでは「ＯＫ」ボタン２７が選択されないように構成してもよい。
【００３８】
確認画面表示位置決定部１５は、このようにランダムに決定した確認画面２２の表示位置に関する情報を、確認画面表示部１６に送信する。
【００３９】
確認画面表示部１６は、選択肢表示位置決定部１２、確認用文章決定部１３、及び確認画面表示位置決定部１５から受信した情報に基づいて、ディスプレイなどの出力装置１０６の表示画面２１への確認画面２２の表示を制御する部分である。
【００４０】
処理実行判定部１７は、ユーザが押下した選択肢に応じて、確認画面で確認している処理を実行するか否かを判定する部分である。処理実行判定部１７は、まず、確認画面表示部１６により力装置１０６の表示画面２１に表示された確認画面２２に対して、ユーザが押下した選択肢を検出する。そして、確認用文章テーブル１４を参照して、検出された選択肢に対応付けられる処理を選択して実行する。
【００４１】
次に、図９のフローチャートを参照して、本実施形態に係る表示制御装置１０によって実行される表示制御処理について説明する。
【００４２】
まず、確認画面選択部１１によって、ユーザに提示する確認画面２２の選択肢の数が確認される（Ｓ１０１）。選択肢が複数あると判定された場合には、ステップＳ１０２へ移行する。選択肢が１個と判定された場合には、ステップＳ１１１に移行する。
【００４３】
ステップＳ１０１において、確認画面２２の選択肢が複数あると判定された場合、選択肢表示位置決定部１２により、確認画面２２における選択肢の表示位置がランダムに決定される（Ｓ１０２：選択肢表示位置決定ステップ）。具体的には、例えば、図４に示したように、選択肢のうち「はい」ボタン２４ａと「いいえ」ボタン２４ｂの位置が入れ替えられる。
【００４４】
次に、確認用文章決定部１３により、確認画面２２に表示される確認用文章２３がランダムに変更される（Ｓ１０３）。具体的には、確認用文章テーブル１４に格納されている複数の確認用文章の中から、確認画面２２に表示させる確認用文章がランダムに決定される。さらに、確認画面表示位置決定部１５により、確認画面２２を表示画面２１上に表示させる位置がランダムに決定される（Ｓ１０３）。
【００４５】
次に、確認画面表示部１６により、ステップＳ１０２〜Ｓ１０４において決定された確認画面２２に関する情報に基づいて、ディスプレイなどの出力装置１０６の表示画面２１に確認画面２２が表示される（Ｓ１０５）。そして、ユーザの入力操作によって選択肢の１つが選択されると（Ｓ１０６）、処理実行判定部１７により、確認用文章テーブル１４を参照して、ユーザが押下した選択肢に対応する処理が判定される（Ｓ１０７）。
【００４６】
ユーザが押下した選択肢に対応する処理がＯＫ処理だった場合には、確認用文章テーブル１４で設定されたＯＫ処理が実行され（Ｓ１０８）、処理を終了する。ユーザが押下した選択肢に対応する処理がＮＧ処理だった場合には、確認用文章テーブル１４で設定されたＮＧ処理が実行され（Ｓ１０９）、処理を終了する。ユーザが押下した選択肢に対応する処理がキャンセル処理だった場合には、確認用文章テーブル１４で設定されたキャンセル処理が実行され（Ｓ１０８）、処理を終了する。
【００４７】
ステップＳ１０１において、確認画面２２の選択肢が１個と判定された場合、選択肢表示位置決定部１２により、確認画面２２を表示画面２１上に表示させる位置がランダムに決定され（Ｓ１１１）、確認画面表示部１６により、表示画面２１に確認画面２２が表示される（Ｓ１１２）。そして、処理実行判定部１７により、ユーザの入力操作によって選択肢（例えば図８の「ＯＫ」ボタン２４ｄ）の押下が確認されると（Ｓ１１３）、処理実行判定部１７により、次画面遷移が実行される（Ｓ１１４）。
【００４８】
このように、本実施形態に係る表示制御装置１０においては、選択肢表示位置決定部１２が、確認画面２２に複数の選択肢２４ａ〜２４ｃが含まれる場合には、これらの選択肢２４ａ〜２４ｃの表示位置をランダムに決定する。この構成により、ユーザが所定の処理の実行を指示した際に、確認画面２２に複数の選択肢２４ａ〜２４ｃが含まれる場合には、確認画面２２において選択肢２４ａ〜２４ｃの表示位置がランダムに変更されてユーザに提示されることになる。これにより、ユーザが確認画面２２の選択肢２４ａ〜２４ｃをよく確認せずにクリック操作を行うと、当該処理の実行を許可したつもりにも関わらず、当該処理の実行が中止されてしまう状況、またはその逆の状況が起こりうる。従って、ユーザに確認画面２２内の選択肢２４ａ〜２４ｃの配置について注意を促すことができるようになり、ユーザが惰性で確認画面２２の操作を行うのを抑制することができる。
【００４９】
また、本実施形態に係る表示制御装置１０においては、確認画面２２は、選択肢２４ａ〜２４ｃと、これらの選択肢２４ａ〜２４ｃによって処理の実行をユーザに確認させるための確認用文章２３，２６とを含むよう構成される。そして、確認用文章決定部１３が、確認画面２２に複数の選択肢２４ａ〜２４ｃが含まれる場合には、確認用文章２３，２６の意味をランダムに変更する。この構成により、ユーザが所定の処理の実行を指示した際に、確認画面２２に複数の選択肢２４ａ〜２４ｃが含まれる場合には、確認画面２２において確認用文章２３，２６の意味がランダムに変更されてユーザに提示されることになる。これにより、当該処理の実行を許可するための選択肢が変わるので、ユーザが確認画面２２の確認用文章２３，２６をよく読まずにクリック操作を行うと、当該処理の実行を許可したつもりにも関わらず、当該処理の実行が中止されてしまう状況、またはその逆の状況が起こりうる。従って、ユーザに確認画面２２内の確認用文章２３，２６の意味について注意を促すことができるようになるので、ユーザが惰性で確認画面２２の操作を行うのをさらに抑制することができる。
【００５０】
また、本実施形態に係る表示制御装置１０においては、確認画面表示位置決定部１５が、確認画面２２を表示画面２１上に表示させる位置をランダムに決定する。この構成により、確認画面２２の表示位置がランダムに変更され、ユーザが表示画面２１をよく確認せずにクリック操作を繰り返すと、マウスポインタが表示画面２１の選択肢２４ａ〜２４ｄから外れて処理が実行されない状況が起こりうる。このように、ユーザに表示画面２１の確認画面２２の表示位置について注意を促すことができるようになるので、ユーザが惰性で確認画面の操作を行うのをさらに抑制することができる。
【００５１】
以上、本発明に係る表示制御装置及び表示制御方法について好適な実施形態を挙げて説明したが、本発明は上記実施形態に限られるものではない。例えば、上記実施形態の選択肢表示位置決定部１２、確認用文章決定部１３、及び確認画面表示位置決定部１５の全てを用いずに、いずれかを用いるように構成してもよい。
【００５２】
また、上記実施形態では、確認画面２２の選択肢が１個の場合には、確認画面表示位置決定部１５により確認画面２２の表示位置をランダムに変更していたが、この場合には図３に示したように確認画面２２を表示画面２１の所定位置に表示するように構成してもよい。
【図面の簡単な説明】
【００５３】
【図１】本発明の一実施形態に係る表示制御装置の構成を示す図である。
【図２】本実施形態に係る表示制御装置のハードウェア構成を示す図である。
【図３】表示画面の所定位置に表示される確認画面の一例を示す図である。
【図４】選択肢表示位置決定部により選択肢の表示位置が変更された確認画面の一例を示す図である。
【図５】確認用文章決定部により確認用文章が変更された確認画面の一例を示す図である。
【図６】確認用文章テーブルの一例を示す図である。
【図７】確認画面表示位置決定部により表示画面内の表示位置が変更された確認画面の一例を示す図である。
【図８】選択肢が１個である確認画面において、確認画面表示位置決定部により表示画面内の表示位置が変更された確認画面の一例を示す図である。
【図９】本実施形態に係る表示制御装置により実行される表示制御処理を示すフローチャートである。
【符号の説明】
【００５４】
１０…表示制御装置、１１…確認画面選択部、１２…選択肢表示位置決定部（選択肢表示位置決定手段）、１３…確認用文章決定部（確認用文章決定手段）、１４…確認用文章テーブル、１５…確認画面表示位置決定部（確認画面表示位置決定手段）、１６…確認画面表示部、１７…処理実行判定部、２１…表示画面、２２…確認画面、２３，２６…確認用文章、２４ａ，２４ｂ，２４ｃ，２７…選択肢。
【図１】
2009251668.tif 000003
【図２】
2009251668.tif 000004
【図３】
2009251668.tif 000005
【図４】
2009251668.tif 000006
【図５】
2009251668.tif 000007
【図６】
2009251668.tif 000008
【図７】
2009251668.tif 000009
【図８】
2009251668.tif 000010
【図９】
2009251668.tif 000011